(57)【要約】【課題】  従来技術における欠点を改善する、スイッチモードインバータを負荷に接続するための相互接続を提供する。【解決手段】  スイッチモードインバータを負荷に接続するための相互接続であって、複数の絶縁導体３１１−３１３、３２１−３２３と、絶縁導体をまとめてスリーブで覆うスリーブ手段３５１と、スリーブ手段と同心であり、スリーブ手段を部分的に取り囲んで複数の絶縁導体をまとめて保持する、少なくとも１つの損失性トロイダル・インダクタ・コア３５２とを含み、少なくとも１つの損失性トロイダル・インダクタ・コア３５２は、コモン・モード・インダクタとしての役割を果たすように配置されて、相互接続を通って負荷の浮遊容量まで流れる電流を最小化する。高周波の渦電流現象は、複数の絶縁導体の導電コアの直径、及び、導電コアの中心間の間隔を適切に選択することによって、相互接続で最小化されることが好ましい。【選択図】      図３
2014504846.tif 000002
【特許請求の範囲】
【請求項１】
スイッチモードインバータを変圧器負荷に接続するための相互接続であって、
ａ）複数の絶縁導体と、
ｂ）前記絶縁導体をまとめてスリーブで覆うスリーブ手段と、
ｃ）前記スリーブ手段と同心であり、前記スリーブ手段を部分的に取り囲んで前記複数の絶縁導体をまとめて保持する、少なくとも１つの損失性トロイダル・インダクタ・コアと
を含み、
前記少なくとも１つの損失性トロイダル・インダクタ・コアは、コモン・モード・インダクタとして作用するように配置されて前記相互接続を通って前記負荷の浮遊容量まで流れる電流を最小化し、前記絶縁導体は、渦電流損失を最小化するように配置されることを特徴とする相互接続。
【請求項２】
高周波の渦電流現象は、前記複数の絶縁導体の導電コアの直径及び前記導電コアの中心間の間隔を適切に選択することによって最小化されることを特徴とする、請求項１に記載の相互接続。
【請求項３】
前記複数の絶縁導体が周囲に配置される中央絶縁部材をさらに含むことを特徴とする、請求項１〜請求項２のいずれかに記載の相互接続。
【請求項４】
前記複数の絶縁導体は、前記中央絶縁部材の周囲に、略円形に配置され、第１の複数の絶縁導体は、前記相互接続を通して電流を第１の方向に流すために第１の半円に配置され、第２の複数の絶縁導体は、前記相互接続を通して電流を前記第１の方向と反対の第２の方向に流すために前記第１の半円と反対の第２の半円に配置されることを特徴とする、請求項３に記載の相互接続。
【請求項５】
前記複数の絶縁導体は、円形に配置され、第１の複数の絶縁導体の部材は、第２の複数の絶縁導体の部材と交互に配置され、前記第１の複数の絶縁導体は、前記相互接続を通して電流を第１の方向に流すために配置され、前記第２の複数の絶縁導体は、前記相互接続を通して電流を前記第１の方向と反対の第２の方向に流すために配置されることを特徴とする、請求項３に記載の相互接続。
【請求項６】
前記複数の絶縁導体は、複数のＰＶＣ絶縁銅芯ケーブルを含むことを特徴とする、請求項１〜請求項５のいずれかに記載の相互接続。
【請求項７】
前記相互接続に沿って離間され、前記複数の絶縁導体をまとめて保持し、前記負荷の浮遊容量まで流れる電流を最小化するために、コモン・モード・インダクタとして作用するように配置された、複数の損失性トロイダル・インダクタ・コアを含むことを特徴とする、請求項１〜請求項６のいずれかに記載の相互接続。
【請求項８】
前記少なくとも１つの損失性トロイダル・インダクタ・コアは、１００ｋＨｚの周波数において、２未満の品質係数を有することを特徴とする、請求項１〜請求項７のいずれかに記載の相互接続。
【請求項９】
前記負荷のパルス波変調のために配置されることを特徴とする、請求項１〜請求項８のいずれかに記載の相互接続。
【請求項１０】
前記スイッチモードインバータと前記負荷との間で多相電流を流すように配置されることを特徴とする、請求項１〜請求項９のいずれかに記載の相互接続。
【請求項１１】
前記複数の絶縁導体は、位相の各々に対する位相グループにおいて、各位相グループにコモン・モード・インダクタとして配置された、前記少なくとも１つの損失性トロイダル・インダクタ・コアとまとめてグループ化された往復対を含むことを特徴とする、請求項１０に記載の相互接続。
【請求項１２】
三相パルス電流を流すように配置されることを特徴とする、請求項１０〜請求項１１のいずれかに記載の相互接続。
【請求項１３】
添付図面の図３乃至図７を参照して本明細書に説明され、かつ、添付図面の図３乃至図７に示される相互接続。
【発明の詳細な説明】
【技術分野】
【０００１】
本発明は、スイッチモードインバータを負荷に接続するための相互接続に関し、特に、マグネトロンを駆動するための変圧器負荷に接続するための相互接続に関する。
【背景技術】
【０００２】
図１に示すように、相互接続１２により負荷１１に接続するためのスイッチモードインバータ（ＳＭＩ）１０は既知であり、スイッチモードインバータ１０の第１及び第２のコネクタＡ、Ｂは、相互接続１２によって、負荷１１の第１及び第２のコネクタＡ１、Ｂ１にそれぞれ接続される。
【０００３】
最も一般的には、スイッチモードインバータは、図２に概略を示す、波形２０をもつパルス幅変調（ＰＷＭ）を用いる。かかるＰＷＭ波形２０は、使用する負荷の制御方法を非常に柔軟にすることができるが、パルスの矩形の性質は、スイッチング・パルス２３の立ち上がり２２及び立ち下り２１における高速の電圧変化率（ｄＶ／ｄｔ）により、スイッチモードインバータと関連する浮遊容量Ｃｐ１に高電流が流れ込む結果となりかねないことを意味する。これは、Ｉが静電容量内に流れ込む電流、Ｃが浮遊容量、ｄＶ／ｄｔがパルスの立ち上がり及び立ち下がりにおける電圧Ｖの変化率であるとき、Ｉ＝Ｃ*ｄＶ／ｄｔであるからである。同様の電流が、負荷の浮遊容量Ｃｐ２内に流れ込む可能性がある。この場合、電流Ｉcp2は、ケーブル接続１２の両方の導電素子を通って、スイッチモードインバータ１０から負荷１１まで流れる。矢印線１３によって示される、相互接続１２の両方の部品内を同じ方向に流れる、負荷の浮遊容量Ｃｐ２内の電流Ｉcp2を阻止するか又は少なくとも最小化するために、相互接続の両方の導電路内を同じ方向に流れる電流を阻止する傾向があるコモン・モード・チョークＬ１が、相互接続内に設けられる。従って、チョークつまりインダクタＬ１は、高いインピーダンスを提供することにより、ＳＭＩの第１のコネクタＡを負荷の第１のコネクタＡｌに接続し、ＳＭＩの第２のコネクタＢを負荷の第２のコネクタＢ１に接続する相互接続の両方の部品内を矢印線１３によって示される同じ方向に流れかねない電流Ｉcp2を妨げる一方、ＳＭＩの第１のコネクタＡ及び負荷の第１のコネクタＡ１を介して負荷まで及び負荷の第２のコネクタＢ１及びＳＭＩの第２のコネクタＢを介して負荷から、対向して矢印線１４の方向に流れる所望の負荷電流Ｉpには最小のインピーダンスを提供する。所望の電流は、一方のケーブルを通じて負荷まで流れ、別のケーブルを通じて戻る。流出する電流によってコア内に誘導される磁束は、戻りの電流の磁束によって相殺されるので、コアは、この差動信号に何の影響ももたない。浮遊容量の場合、電流は両方の導体上を同じ方向に流れ、磁束は増加し、それによりコアは、コモン・モード・チョークとして作用する。
【０００４】
チョークＬ１は、矢印線１３の方向の電流量Ｉcp2を最小にすることによって、Ｃｐ２にわたって現れる電圧を最小にし、浮遊容量にわたる電圧を、Ｖpeakからｋ*Ｖpeakまで低下させ、ここで、設計が適切であれば、因数ｋは、１よりかなり小さい。従来技術の構成では、コモン・モード・チョークは、ＳＭＩ又は負荷のいずれかにおいて発生する（マグネトロンによって発生する等の）ノイズに対して高いインピーダンスをもたらしたが、インピーダンスの影響でノイズを反映してしまうので、導体からの放射が、ＥＭＣ問題を引き起こしていた可能性があった。
【０００５】
浮遊容量Ｃｐ１及びＣｐ２にわたって現れる電圧は、関連した誘電材料に応力を与え、早期劣化、及び、その結果、かかる誘電体システムの故障に繋がりかねず、従って、回避するか又は最小限に抑えることが好ましい。
【０００６】
一般に、優れた設計実践により、静電容量Ｃｐ１及びＣｐ２を最小化又は遮断され、チョークＬ１は、ＳＭＩの第１のコネクタＡを負荷の第１のコネクタＡ１に接続し、ＳＭＩの第２のコネクタＢを負荷の第２のコネクタＢ１に接続する給電線に取り付けられ、これらの線は、低出力ＳＭＩ（即ち、＜１０００ワット）においては、極めて短く真っ直ぐである。
【０００７】
しかしながら、高出力システムにおいては、ＥＭＣ問題が発生する。かかる高出力システムにおいて、ＳＭＩ及び負荷は、場合によっては数百リットルの容積を有する物理的に非常に大きい品目である場合があり、結果として生じる浮遊容量Ｃｐ１及びＣｐ２の値は、非常に大きくなりかねず、非常に典型的に５ｎＦ乃至３０ｎＦに達しうる。典型的に、１０００Ｖ／μｓのオーダーの電圧変化率の場合、結果として生じる矢印線１３の方向に流れるコモン・モード電流Ｉcp2は、ピークが３０Ａになり得る。さらに、ＳＭＩの第１のコネクタＡを負荷１１の第１のコネクタＡ１に接続し、ＳＭＩの第２のコネクタＢを負荷の第２のコネクタＢ１に接続する相互接続の部品が、長さ５メートルになることも珍しくない。かかる長い配線内のかかる大きいパルス電流は、非常に深刻なＥＭＣ問題の原因を示す。
【０００８】
モータ負荷を有する既知の回路において、高周波で電圧をスイッチングすると、２０乃至１００Ｈｚの範囲の低周波正弦波振動を伴う電流が生ずる結果となる。負荷として変圧器を用いた場合も、電流は高周波形態のものであり、これは、変圧器負荷の場合における導線システムについて、モータ負荷と共に用いられるものとは異なる手法を必要とする。
【０００９】
従って、変圧器負荷を有する高出力システムにおける更なる問題は、ＳＭＩの第１のコネクタＡを負荷の第１のコネクタＡ１に接続し、負荷の第２のコネクタＢ１をＳＭＩの第２のコネクタＢに接続する相互接続の部品内を方向１４に流れる所望の電流Ｉpが、高周波の性質のものであり、また、高いｒｍｓ値を有することである。上述の通り、図２に示す典型的な波形２０は、２，５００パルス／秒のパルス周波数、±１５０Ａのピーク電流、６０Ａのｒｍｓ電流、及び１μｓのオーダーのパルスの立ち上がり時間及び立ち下がり時間を有する。
【００１０】
高周波電流の場合、渦電流現象により、電流は表面近くを流れ、薄い導体の導電材料のみが十分に活用される。つまり、結果として生じる高周波でのＡＣ抵抗Ｒacは、薄い導体が用いられる場合、ＤＣ抵抗Ｒdcと同一である。従って、高いｒｍｓ値の高周波電流Ｉｐrmsにおいては、互いに分離された多数の導体は、過剰に散逸させずに電流を取り扱うことが求められる。「高周波」パルス電流とは何か、及び、「薄い」導体とは何かへの案内として、２，５００Ｈｚのパルス速度で、電流量がその値の３７％まで下がる表皮厚さは、純銅の導体において、およそ１．３ｍｍである。図２の電流波形におけるより高周波コンポーネントの電流透過は、１．３ｍｍよりさらに小さい。
【００１１】
高周波において、ケーブルのインダクタンスは、限流インピーダンスを示し、パルス電流量の抑制又は変形をもたらす場合がある。このことは、原理的には、同軸ケーブル又は単位長さ当たりのインダクタンスを最小化できる他の特殊ケーブル等のコネクタを用いることによって、克服することができる。しかしながら、かかるケーブルは、高価になりがちであり、内側導体の銅は、通常、外側導体よりかなり小さい断面積を有する。同軸ケーブルは、１ＭＨｚ以上のオーダーの周波数におけるインピーダンス整合伝送のために設計される。従って、この場合のように、周波数がわずか数ｋＨｚのときには、同軸ケーブルは、高出力／電流の伝送にとって理想的な選択ではない。
【００１２】
さらに、高出力システムにおける電力伝送を最大化するために、多相電力伝送システムが用いられる。これらの最も一般的なものは、三相接続である。上述の戦略を、三相負荷に供給する三相ＳＭＩにも適用することができる。
【発明の概要】
【発明が解決しようとする課題】
【００１３】
上記で説明した問題は周知であり、問題の個々の側面に対する多数の解決法が、既存の技術の中で提案されている。
本発明の目的は、少なくとも、従来技術における前述の欠点を改善することである。
【課題を解決するための手段】
【００１４】
本発明の第１の態様によると、スイッチモードインバータを変圧器負荷に接続するための相互接続が提供され、この相互接続は、複数の絶縁導体と、絶縁導体をまとめてスリーブで覆うスリーブ手段と、スリーブ手段と同心であり、スリーブ手段を部分的に取り囲んで複数の絶縁導体をまとめて保持する、少なくとも１つの損失性トロイダル・インダクタ・コアとを含み、少なくとも１つの損失性トロイダル・インダクタ・コアは、相互接続を通って負荷の浮遊容量まで流れる電流を最小化するために、コモン・モード・インダクタとして作用するように配置され、絶縁導体は、渦電流損失を最小化するように配置される。
【００１５】
有利なことに、高周波渦電流現象は、複数の絶縁導体の導電コアの直径、及び、導電コアの中心間の間隔を適切な選択することによって最小化される。
好都合なことに、相互接続は、複数の絶縁導体が周囲に配置される中央絶縁部材をさらに含む。
【００１６】
有利なことに、複数の絶縁導体は、中央絶縁部材の周囲に略円形に配置され、第１の複数の絶縁導体は、相互接続を通して電流を第１の方向に流すために第１の半円に配置され、第２の複数の絶縁導体は、相互接続を通して電流を第１の方向と対向する第２の方向に流すために、第１の半円と対向する第２の半円内に配置される。
【００１７】
代替的に、複数の絶縁導体は円形に配置され、第１の複数の絶縁導体の部材が第２の複数の絶縁導体の部材と交互に配置され、第１の複数の絶縁導体は、相互接続を通して電流を第１の方向に流すために配置され、第２の複数の絶縁導体は、相互接続を通して電流を第１の方向と対向する第２の方向に流すために配置される。
【００１８】
好都合なことに、複数の絶縁導体は、複数のＰＶＣ絶縁銅芯ケーブルを含む。
有利なことに、相互接続は、相互接続に沿って離間され、かつ複数の絶縁導体をまとめて保持し、負荷の浮遊容量へ流れる電流を最小化するためにコモン・モード・インダクタとして作用するように配置された、複数の損失性トロイダル・インダクタ・コアを含む。
【００１９】
好都合なことに、少なくとも１つの損失性トロイダル・インダクタ・コアは、１００ｋＨｚの周波数において、２未満の品質係数を有する。
有利なことに、相互接続は、負荷のパルス波変調のために配置される。
好都合なことに、相互接続は、スイッチモードインバータと負荷との間に多相電流を流すように配置される。
有利なことに、複数の絶縁導体は、位相の各々に対する位相グループにおいて、各位相グループにコモン・モード・インダクタとして配置された少なくとも１つの損失性トロイダル・インダクタ・コアとまとめてグループ化された往復対を含む。
好都合なことに、相互接続は、三相パルス電流を流すように配置される。
【００２０】
本発明の実施形態を、例示の方法により、添付図面を参照しながら、以下にさらに詳しく説明する。
【図面の簡単な説明】
【００２１】
【図１】本発明を用いることができる、スイッチモードインバータを負荷に接続するための相互接続のブロック図である。
【図２】図１の相互接続においてパルス波変調のために典型的に用いられる波形である。
【図３】本発明による相互接続の横断面図である。
【図４】本発明による相互接続の横断面の斜視図である。
【図５】図３又は図４の相互接続に用いるのに適したトロイダル・コアの例示である。
【図６】図３又は図４の相互接続に沿って離間された磁気コアを示す図である。
【図７】本発明の三相相互接続の実施形態の概略図である。
【発明を実施するための形態】
【００２２】
図面において、同様の参照数字は、同様の部品を示す。
【００２３】
図３は、図１のＳＭＩ１０の第１のコネクタＡを負荷１１の第１のコネクタＡ１に接続し、ＳＭＩ１０の第２のコネクタＢを負荷１１の第２のコネクタＢ１に接続するのに適した、本発明の実施形態によるケーブル相互接続の断面を示す。
【００２４】
図３において、Ａで示された導電体の断面３１１−３１３は、電流がページに流れ込み、ＳＭＩの第１のコネクタＡを負荷の第１のコネクタＡ１に接続する「行き」の導体であり、Ｂで示された導電体の断面３２１−３２３は、電流がページから流れ出し、負荷の第２のコネクタＢ１をＳＭＩの第２のコネクタＢに接続する「戻り」の導体である。
【００２５】
高周波の渦電流現象は、ＡＣ抵抗ＲAC対ＤＣ抵抗ＲDCの比を１よりかなり大きくすることが望ましくないものであるが、高周波の渦電流現象の最小化は、２つの主要なパラメータ、即ち、個々の導体３４１の直径ｄ、及び、個々の導体３４１の中心間の間隔Ｓｐに依存する。かかる最小化に必要な計算は、多数の標準文献で利用可能であるが、例えば、Ｂｅｌｌ  Ｓｙｓｔｅｍ  Ｔｅｃｈｎｉｃａｌ  Ｊｏｕｒｎａｌ、第４巻、１９２５年４月、３２７ページの「Ａｌｔｅｒｎａｔｉｎｇ  ｃｕｒｒｅｎｔ  ｒｅｓｉｓｔａｎｃｅ」等におけるような比較的単純な例に対してのみ利用可能である。本発明に必要な導体の構成は、はるかに複雑であり、コンピュータ支援設計を用いて解決する必要がある。同軸ケーブルが、その機能を正確に実行するためには同軸を保つことが必要であるのと同じように、損失を最小にするためには導体の機械的構成を保持することが重要である。
【００２６】
図３及び図４に見ることができるように、導体を含むケーブル３１１−３１３、３２１−３２３は、絶縁中央部材３３の周りの円の２つの対向する半円それぞれに、横方向に配置される。導体を略円形に配置することにより、高周波電流を、相互接続のコアの外面を流れさせる。導電中央部材は、電流量をほとんど増やさないので、例えば安価な絶縁部材の代わりに、銅を中央部材のために用いると、電気伝導率が改善せずに、相互接続のコストが増加してしまう。
【００２７】
外層３４２を絶縁するＰＶＣにより絶縁された単芯銅導体３４１付きのＴｒｉ−ｒａｔｅｄ  ＢＳ６２３１単芯ＰＶＣ絶縁フレキシブルケーブル等の個々のケーブルは、ケーブル３１１−３１３及び３２１−３２３として用いるのに適している。相互接続を、必要なパターンにゆるく保つために、ケーブル３１１−３１３、３２１−３２３のグループ及び絶縁中央部材３３は、ＲＳ４０８−２０５等の、伸長性編み上げ絶縁スリーブ３５１で覆われる。図３、図４及び図６に示されるように、好適な磁気材料のトロイダル・コア３５２は、ケーブルをグループに保つため、図１のインダクタンスＬ１を形成するため、グループ化されたケーブルをまとめて維持又は保持するクランプとして作用して相互接続を形成する。トロイダル・コアは、コモン・モード・インダクタとして作用させるのと同様に、絶縁導体をまとめて保持するために用いるのは便利であるが、本発明の実施形態は、トロイダル・コアを単にコモン・モード・インダクタとして作用させ、他の固定手段又は保持手段を用いて、相互接続の導体をまとめて固定又は保持することを想定する。
【００２８】
インダクタの設計において、現在一般的に使用されている任意の磁気材料は、トロイダル・コアに用いるのに適している。適切な層状鉄圧粉心つまりフェライトを用いることができる。重要な特徴は、通常の又は典型的なインダクタに用いられるものと比較すると、磁気材料の粒径は非常に大きく、つまりコアの層が非常に厚いことである。これは、渦電流損失を増大させ、従って、抵抗を増大させる。１００ｋＨｚのインダクタについて、典型的なインダクタの粒径つまり層厚は、およそ２５μｍである。本発明において、３００μｍよりさらに大きい粒径つまり層厚を用いると、渦電流損失は、１００ｋＨｚにおいて損失性インダクタを生成するのに十分高くなる。
【００２９】
品質係数Ｑは、コモン・モード・チョークの抵抗成分対無効成分の比であり、意図的に非常に低いので、反射よりも、コモン・モード・スイッチング・エッジ遷移の抵抗散逸を引き起こす。５０より大きい品質係数の値を有する典型的なインダクタと比較して、２より低いＱの値が理想的である。図６に示すように、磁心は、磁心がインダクタ及びケーブル・クランプの両方として作用するのに適した相互接続に沿って、間隔をおいて離間される。米国、９２８０７、カリフォルニア州アナハイム、ラ・パルマ・アベニュー５６１５Ｅ所在のＭｉｃｒｏｍｅｔａｌｓ  Ｉｎｃ．又は米国、１２５８９、ニューヨーク州ウォールキル、コマーシャル・ロウ１、私書箱２８８のＦａｉｒ−Ｒｉｔｅ  Ｐｒｏｄｕｃｔｓ  Ｃｏｒｐ．の多様な好適なコアを、トロイダル・インダクタ・コアに採用することができる。２つのトロイダル・コアを含む典型的な相互接続配置の写真を図４に示す。
本発明において、損失性チョークは、ＳＭＩ又は負荷において発生したノイズを熱として散逸させ、これにより従来技術のＥＭＣ問題を減らす又はなくす。
【００３０】
図３及び図４に示すケーブルのグループ化は、絶縁導体の可能なグループ化の一例に過ぎない。有用な他のグループ化には、「往復」導体として用いられる円の周囲に配置された代替ケーブルのグループ化を含む。また、導体の中央絶縁コア付きの又はなしのランダムな組立体は、様々な環境下で適切であることが分かる。相互接続に用いられるケーブルの総数は、所定の必要電流定格によって定まる。正確な計算及び適切な設計によって、本発明の相互接続に用いられる銅の総量は、同等の直流相互接続に必要とされる量より少ないことが分かる。しかしながら、本発明の相互接続の全径は、必要な絶縁体及び個々の導体間の間隔のため、同等のＤＣ相互接続に必要とされるより大きい場合がある。
【００３１】
三相用途について、ケーブルの適切な配置を図７に示す。この配置は、導線ごとに一対のケーブルを用い、各位相に対する各往復対は、まとめてグループ化され、コモン・モード・インダクタＬA、ＬB及びＬCは、導線の各位相グループに配置される。位相ソースＵn、Ｖn及びＷnを有する三相ＳＭＩと、端子Ａ１、Ａ２、Ｂ１、Ｂ２、Ｃ１及びＣ２を有する負荷との間のループによって形成されたインダクタンスは、図７に示すように、最小になる。Ａ１とＣ２、Ａ２とＢ１及びＢ２とＣ１を接続する線は、導線を表さず相互接続を意味することを理解されたい。示された配置は、６９０Ｖｒｍｓの電源電圧からの位相あたり定格５０Ａｒｍｓの、２，５００ＨｚのＰＷＭ波形に対して典型的である。この配置は、束にして密接にグループ化され、まとめてスリーブで覆われた４本のケーブルを有する、一対の平行の４ｍｍ2、定格１．１ｋＶのＳＩＷＯ−ＫＵＬ（登録商標）ケーブルで形成された個別の導線をそれぞれ有する。タイプＲＳ２３９−０６２の抑制コア１０個が、４本のケーブルのスリーブで覆われた束の上に嵌合されて、ケーブルをまとめて固定し、コモン・モード・インダクタつまりチョークを提供する。別個のインダクタＬA、ＬB、ＬCが、同じ位相のケーブルの各グループに対して用いられることを理解されたい。
【００３２】
従って、本発明は、多相システムに適用する際は、従来技術における問題の少なくともいくつかを克服する簡単な方法を用い、特殊でより高価な同軸ケーブルの代わりに、好適な配置で標準的な単心電線を用い、ケーブル・クランプを兼ねる多数の磁気トロイダル・コアを用いて必要なインダクタンスＬ１を提供して、必要な配置でケーブルを保持する。
【００３３】
本明細書の説明及び特許請求の範囲の全体を通じて、「含む（ｃｏｍｐｒｉｓｅ）」及び「包含する（ｃｏｎｔａｉｎ）」という用語、並びにそれらの変形は、「含むが、必ずしも限定されない」ということを意味し、他の成分、付加物、構成部品、整数又はステップを除外する（及び、除外しない）ことを意図するものではない。本明細書の説明及び特許請求の範囲の全体を通じて、単数形は、文脈において特に定める場合を除いて、複数形を包含する。特に、不定冠詞が用いられる場合、本明細書は、文脈において特に定める場合を除いて、単数形と同様に複数形を含むように理解すべきである。
【００３４】
本発明の特定の態様、実施形態又は例と関連して説明した特徴、整数、特性、化合物、化学成分又は化学基は、不適合である場合を除いて、本明細書で説明したその他の態様、実施形態又は例に適用可能であると理解すべきである。本明細書において開示した特徴の全て（あらゆる添付の特許請求の範囲、要約書及び図面を含む）、及び／又は、開示されたあらゆる方法又はプロセスのステップの全ては、かかる特徴及び／又はステップの少なくともいくつかが互いに排他的である組み合わせを除いて、いずれの組み合わせにも組み合わせることができる。本発明は、いずれの前述の実施形態の詳細にも制限されるものではない。本発明は、本明細書（あらゆる添付の特許請求の範囲、要約書及び図面を含む）において開示した特徴の、全ての新規な特徴、若しくは全ての新規な特徴の組み合わせ、又は、開示したいずれの方法若しくはプロセスのステップの、全ての新規なもの若しくは全ての新規な組み合わせにも及ぶ。
【符号の説明】
【００３５】
１０：スイッチモードインバータ（ＳＭＩ）
１１：負荷
１２：相互接続
１３、１４：電流が流れる方向
２０：波形
２１：立ち下がり
２２：立ち上がり
２３：スイッチング・パルス
３３：絶縁中央部材
３１１、３１２、３１３、３２１、３２２、３２３：ケーブル
３４１：導体
３４２：外層
３５１：絶縁スリーブ
３５２：トロイダル・コア
Ａ、Ａ１、Ａ２、Ｂ、Ｂ１、Ｂ２、Ｃ１、Ｃ２：端子
Ｃｐ１、Ｃｐ２：浮遊容量
ｄ：直径
Ｉｐ、Ｉｃｐ２：電流
Ｌ１、ＬA、ＬB、ＬC：コモン・モード・チョーク（インダクタ）
Ｓｐ： 間隔
Ｕn、Ｖn、Ｗn：位相ソース
【図４】
2014504846.tif 000003
【図６】
2014504846.tif 000004
【図１】
2014504846.tif 000005
【図２】
2014504846.tif 000006
【図３】
2014504846.tif 000007
【図５】
2014504846.tif 000008
【図７】
2014504846.tif 000009
【国際調査報告】
2014504846.tif 000010
2014504846.tif 000011
2014504846.tif 000012